(57)【要約】【課題】梱包された部品を便器装置に容易に組み付けることができる梱包箱及びその使用方法を提供する。【解決手段】梱包箱は、便器装置５０の部品が梱包される梱包箱である。梱包箱は、梱包箱本体１０と支持部材２０とを備えている。梱包箱本体は、平面視が四角形状の底面部１１と、側面部１２Ａ、１２Ｂと、上面部とを有し、底面部１１の少なくとも一方の辺の内寸法が側面部１２Ａ、１２Ｂの高さ寸法よりも長く形成されている。支持部材２０は、梱包箱本体１０に部品とともに収納され、側面部１２Ａ、１２Ｂの高さ寸法よりも長く形成されている。支持部材２０は、コーナー部Ｃに沿って側面部１２Ａ、１２Ｂより上方に突出して固定可能である。支持部材２０を梱包箱本体１０の側面部１２Ａ、１２Ｂより上方に突出させて固定した状態で梱包箱本体１０を裏返し、傾斜状態に据え置かれた底面部１１に便器装置を載置可能である。【選択図】図１
2010195431.tif 000002
【特許請求の範囲】
【請求項１】
便器装置の部品が梱包される梱包箱であって、
平面視が四角形状の底面部と、底面部の各辺から上方に延びる側面部と、側面部の上端に連続する上面部とを有し、底面部の少なくとも一方の辺の内寸法が側面部の高さ寸法よりも長く形成された梱包箱本体と、
前記梱包箱本体に前記部品とともに収納され、前記側面部の高さ寸法よりも長く、かつ前記底面部の一方の辺の内寸法以下に形成された支持部材とを備え、
前記支持部材は、前記梱包箱本体の上面部が開放された状態で前記側面部により形成された隣り合う２つのコーナー部に沿って側面部より上方に突出して固定可能であり、
前記支持部材を前記梱包箱本体の側面部より上方に突出させて固定した状態で梱包箱本体を裏返し、傾斜状態に据え置かれた前記底面部に前記便器装置を載置可能であることを特徴とする梱包箱。
【請求項２】
前記梱包箱本体は、側面部に折曲辺と、折曲辺の両端から連続する切り込みとが形成され、折曲辺を支点に内側に折り曲げ可能なツメ部を有し、
前記支持部材が前記梱包箱本体のコーナー部に沿って前記側面部より上方に突出して配置された状態でツメ部が内側に折り曲げられることにより、ツメ部と側面部との間で支持部材を挟持し固定可能であることを特徴とする請求項１記載の梱包箱。
【請求項３】
前記梱包箱本体は、底面部に設けられ、前記便器装置の下面から延びた固定ボルトを挿通可能な貫通孔を有していることを特徴とする請求項１又は２記載の梱包箱。
【請求項４】
前記支持部材は、平面形状が前記梱包箱本体の側面部の内周形状と同一であることを特徴とする請求項１乃至３のいずれか１項記載の梱包箱。
【請求項５】
前記支持部材は、前記便器装置の部品が嵌め込まれ、収納状態を保持する凹部を有していることを特徴とする請求項１乃至４のいずれか１項記載の梱包箱。
【請求項６】
便器装置の部品を収納可能な梱包箱の使用方法であって、
平面視が四角形状の底面部と、底面部の各辺から上方に延びる側面部と、側面部に連続する上面部とを有し、底面部の少なくとも一方の片の内寸法が側面部の高さ寸法よりも長く形成された梱包箱本体と、
前記梱包箱本体に前記便器装置の部品とともに収納され、前記側面部の高さ寸法よりも長く、かつ前記底面部の一方の辺の内寸法以下に形成された支持部材とを備え、
前記梱包箱本体の上面部が開放された状態で前記側面部により形成された隣り合う２つのコーナー部に沿って側面部より上方に突出するように前記支持部材を固定し、
前記支持部材を前記梱包箱本体の側面部より上方に突出して固定した状態で梱包箱本体を裏返し、傾斜状態に据え置かれた前記底面部に前記便器装置を載置し、
底面部に載置された前記便器装置に前記部品を取り付けることを特徴とする梱包箱の使用方法。
【発明の詳細な説明】
【技術分野】
【０００１】
本発明は梱包箱及びその使用方法に関する。
【背景技術】
【０００２】
特許文献１には、従来の梱包材が開示されている。この梱包材は、便器本体の上面に被せられ、便器本体の上部を梱包するものである。この梱包材は、所定の高さを備えており、便器本体の上面から取り外され、上面に便器本体を載置することができる。梱包材の上面に載置された便器本体は、後端に設けられた固定孔がトイレの壁面に設けられた便器本体の取付用ボルトに整合する高さに維持される。このため、梱包材の上面に便器本体を載置することにより、壁面に設けられた取付用ボルトに固定孔を容易に挿通させることができる。よって、便器本体の壁面への取り付けを容易に行うことができる。
【先行技術文献】
【特許文献】
【０００３】
【特許文献１】特開平８−４１９５４号公報
【発明の概要】
【発明が解決しようとする課題】
【０００４】
しかし、従来の梱包材は、便器本体を壁面へ取り付ける際に使用されるものであり、梱包材の上面に載置された便器本体に部材を取り付ける際に使用されるものではない。このため、梱包材の上面に載置された便器本体は、壁面への取り付け姿勢を維持するものであり、便器本体に部材を取り付けやすい姿勢に保持されていない。
【０００５】
本発明は、上記従来の実情に鑑みてなされたものであって、梱包された部品を便器装置に容易に組み付けることができる梱包箱及びその使用方法を提供することを解決すべき課題としている。
【課題を解決するための手段】
【０００６】
本発明の梱包箱は、便器装置が梱包される梱包箱であって、
平面視が四角形状の底面部と、底面部の各辺から上方に延びる側面部と、側面部の上端に連続する上面部とを有し、底面部の少なくとも一方の辺の内寸法が側面部の高さ寸法よりも長く形成された梱包箱本体と、
前記梱包箱本体に前記部品とともに収納され、前記側面部の高さ寸法よりも長く、かつ前記底面部の一方の辺の内寸法以下に形成された支持部材とを備え、
前記支持部材は、前記梱包箱本体の上面部が開放された状態で前記側面部により形成された隣り合う２つのコーナー部に沿って側面部より上方に突出して固定可能であり、
前記支持部材を前記梱包箱本体の側面部より上方に突出させて固定した状態で梱包箱本体を裏返し、傾斜状態に据え置かれた前記底面部に前記便器装置を載置可能であることを特徴とする。
【０００７】
この梱包箱では、支持部材を梱包箱本体の隣り合う２つのコーナー部に沿って上面部より上方に突出させて固定した後、裏返して底面部を傾斜状態に据え置くことができる。このため、梱包箱本体の底面部に便器装置を斜めの姿勢に維持した状態に載置することができる。つまり、便器装置の部品が取り付けられる部位を斜め上方に向けるように梱包箱本体の底面部に便器装置を載置することができる。このため、作業者が無理な姿勢をすることなく、便器装置の部品の取付部位を確認しながら、便器装置に部品を取り付けることができる。
【０００８】
したがって、本発明の梱包箱は、梱包された部品を便器装置に容易に組み付けることができる。
【０００９】
前記梱包箱本体は、側面部に折曲辺と、折曲辺の両端から連続する切り込みとが形成され、折曲辺を支点に内側に折り曲げ可能なツメ部を有し、
前記支持部材が前記梱包箱本体のコーナー部に沿って前記側面部より上方に突出して配置された状態でツメ部が内側に折り曲げられることにより、ツメ部と側面部との間で支持部材を挟持し固定可能であり得る。この場合、支持部材をコーナー部にしっかりと固定することができる。このため、梱包箱本体を裏返して据え置いた際、梱包箱本体の底面部を傾斜状態に確実に維持することができる。よって、部品を組み付ける際の便器装置の姿勢を確実に維持し、容易に部品を組み付けることができる。
【００１０】
前記梱包箱本体は、底面部に設けられ、前記便器装置の下面から延びた固定ボルトを挿通可能な貫通孔を有し得る。この場合、傾斜状態に据え置かれた梱包箱本体の底面部に便器装置を載置する際、固定ボルトを貫通孔に挿通させることにより、便器装置の載置位置がずれることを防止することができる。このため、部品の組み付け作業中に便器装置がずれてしまうことがなく、便器装置に部品を容易に組み付けることができる。
【００１１】
前記支持部材は、平面形状が前記梱包箱本体の側面部の内周形状と同一であり得る。この場合、支持部材の巾寸法と梱包箱本体の側面部間の内寸法とが同じである。このため、支持部材を隣り合う２つのコーナー部に沿って固定する際、梱包箱本体の１つの側面部の内面全体に支持部材が当接するように固定することができる。このため、梱包箱本体を裏返して据え置いた際、梱包箱本体の底面部を傾斜状態に強固に維持することができる。よって、部品を組み付ける際の便器装置の姿勢を確実に維持し、容易に部品を組み付けることができる。
【００１２】
前記支持部材は、前記便器装置の部品が嵌め込まれ、収納状態を保持する凹部を有し得る。この場合、梱包箱本体に収納された部品が搬送中に振動等により移動してしまうことを防止することができる。
【００１３】
本発明の梱包箱の使用方法は、便器装置の部品を収納可能な梱包箱の使用方法であって、
平面視が四角形状の底面部と、底面部の各辺から上方に延びる側面部と、側面部に連続する上面部とを有し、底面部の少なくとも一方の片の内寸法が側面部の高さ寸法よりも長く形成された梱包箱本体と、
前記梱包箱本体に前記便器装置の部品とともに収納され、前記側面部の高さ寸法よりも長く、かつ前記底面部の一方の辺の内寸法以下に形成された支持部材とを備え、
前記梱包箱本体の上面部が開放された状態で前記側面部により形成された隣り合う２つのコーナー部に沿って側面部より上方に突出するように前記支持部材を固定し、
前記支持部材を前記梱包箱本体の側面部より上方に突出して固定した状態で梱包箱本体を裏返し、傾斜状態に据え置かれた前記底面部に前記便器装置を載置し、
底面部に載置された前記便器装置に前記部品を取り付けることを特徴とする。
【００１４】
この梱包箱の使用方法では、支持部材を梱包箱本体の隣り合う２つのコーナー部に沿って上面部より上方に突出させて固定した後、梱包箱本体を裏返して底面部を傾斜状態に据え置き、底面部に便器装置を載置する。この際、梱包箱本体に収納された便器装置の部品が取り付けられる部位を斜め上方に向けて載置する。この状態で作業者は無理な姿勢をすることなく、便器装置の部品の取付部位を確認しながら、部品を取り付けることができる。
【００１５】
したがって、本発明の梱包箱の使用方法により、梱包された部品を便器装置に容易に組み付けることができる。
【図面の簡単な説明】
【００１６】
【図１】実施例１の梱包箱の分解斜視図である。
【図２】実施例１の梱包箱において、支持部材を固定した状態を示す斜視図である。
【図３】実施例１の梱包箱の使用状態を示す斜視図である。
【図４】実施例１の梱包箱の使用状態を示す斜視図である。
【図５】実施例２の梱包箱において、（ａ）は支持部材を梱包箱本体に収納した状態を示す平面図であり、（ｂ）は支持部材を梱包箱本体に固定した状態を示す平面図である。
【発明を実施するための形態】
【００１７】
以下、本発明の梱包箱を具体化した実施例１及び２を図面を参照しつつ説明する。
【実施例１】
【００１８】
実施例１の梱包箱は、図１及び図２に示すように、梱包箱本体１０と、支持部材２０と、押圧部材３１、３２とを備えている。梱包箱本体１０は、平面視が長方形状の底面部１１と、底面部１１の各辺から上方に延びる側面部１２Ａ、１２Ｂと、側面部１２Ａ、１２Ｂの上端に連続した蓋部１３Ａ、１３Ｂとを有している。梱包箱本体１０の上面部は、側面部１２Ａ、１２Ｂの上端で蓋部１３Ａ、１３Ｂを内側に折り曲げることにより、蓋部１３Ａ、１３Ｂにより閉鎖可能である。底面部１１、側面部１２Ａ、１２Ｂ及び蓋部１３Ａ、１３Ｂは１枚の段ボールを所定の形状に切断し、折り曲げて形成されている。底面部１１の長辺の内寸法Ｌ１及び短辺の内寸法Ｗ１は、側面部１２Ａ、１２Ｂの高さ寸法Ｈ１より長く形成されている。
【００１９】
梱包箱本体１０の底面部１１の長辺から上方に延びる一対の側面部１２Ａには、底面部１１に平行な一対の折曲辺１５と、各折曲辺１５の両端同士に連続し、上下方向に延びる一対の第１切り込み１６Ａと、各第１切り込み１６Ａの中間部に連続する第２切り込み１６Ｂとが形成されている。折曲辺１５と、第１切り込み１６Ａと、第２切り込み１６Ｂとに囲まれた上下２個所は、ツメ部１４を形成している。ツメ部１４は、第２切り込み１６Ｂの付近を内側に向けて押し込むと、各折曲辺１５を支点にして内側に折り曲げ可能である。
【００２０】
ツメ部１４は、底面部１１の一方の短辺から上方に延びる側面部１２Ｂに近接して設けられている。また、ツメ部１４は一対の側面部１２Ａの対向する位置に設けられている。近接する側面部１２Ｂ側の第１切り込み１６Ａは、側面部１２Ｂの内面に対して、後述する支持部材２０の厚さ寸法Ｔと略等しい間隔を有して形成されている。
【００２１】
梱包箱本体１０の底面部１１には、後述する便器装置５０の下面から延びた固定ボルトＢを挿通可能な一対の貫通孔１７が貫設されている。固定ボルトＢは、便器装置５０を便器本体の上面に固定する際に利用されるものである。貫通孔１７は、底面部１１の一方の短辺側に近接した位置に設けられている。
【００２２】
支持部材２０は、平面形状が梱包箱本体１０の側面部１２Ａ、１２Ｂの内周形状と同一である。つまり、支持部材２０の平面形状は長方形状であり、支持部材２０の縦幅寸法Ｌ２は、梱包箱本体１０の底面部１１の長辺の内寸法Ｌ１と略同一であり、支持部材２０の横幅寸法Ｗ２は、梱包箱本体１０の底面部１１の短辺の内寸法Ｗ１と略同一である。
【００２３】
支持部材２０は、一枚の段ボールを所定の形状に切断し、折り曲げて形成されている。支持部材２０は、上面部２１の中央部を切欠いて形成された凹部２１Ｃを有している。凹部２１Ｃは、便器装置５０の部品であるブースター４０の一部が嵌め込み可能である。支持部材２０は、上面部２１の左右端部を下方に折り曲げ、支持部材２０の厚さＴを形成する左右側面部２２が形成されている。さらに、支持部材２０の左右側面部２２の下端部を内側に折り曲げ、左右底面部２３が形成されている。左右底面部２３は、中央部で当接し、上方に折り曲げられて立設する立上壁２４が連続して形成されている。立上壁２４の先端凸部２４Ａは、上面部２１に設けられたスリットに差し込まれている。
【００２４】
押圧部材３１、３２は、一枚の段ボールを所定の形状に切断し、略筒状に折り曲げて形成されている。ブースター４０は、便器洗浄水を畜圧して貯留するタンク４１と、便器装置の洗浄水路に連結する連結ホース４２とを有している。
【００２５】
このように構成された梱包箱は、梱包箱本体１０の内側底部に凹部２１Ｃを上方に向け、支持部材２０を収納する。支持部材２０の凹部２１Ｃにブースター４０が嵌め込み、コンポ箱本体１０にブースター４を収納する。一方の押圧部材３１は、上下方向に貫通する向きを保ち、支持部材２０の上面２１に載置される。押圧部材３１の内部には、図示しないブースターを便器装置に取り付ける際に利用する部品等が収納される。他方の押圧部材３２は、上下方向に貫通する向きを保ち、ブースターのタンク４１の側面に当接するように載置される。押圧部材３１、３２の上端部は、梱包箱本体１０の蓋部材１３Ａ、１３Ｂが内側に折り曲げられ、梱包箱本体１０の上面部を閉鎖した際、蓋部材１３Ａ、１３Ｂの下面に当接される。このため、支持部材２０及びブースター４０は押圧部材３１、３２により梱包箱本体１０の底面部側に押しつけられる。よって、梱包箱の搬送中に振動等により支持部材２０及びブースター４０が移動してしまうことを防止することができる。また、ブースター４０は凹部２１Ｃに嵌め込まれているため、梱包箱の搬送中に梱包箱本体１０の高さ方向のみならず、平面方向に移動してしまうことを防止することができる。
【００２６】
次に、この梱包箱の使用方法を説明する。梱包箱本体１０の蓋部材１３Ａ、１３Ｂを開け（梱包箱本体１０の上面部を開放し）、押圧部材３１、３２、ブースター４０及び支持部材２０等を梱包箱本体１０から取り出す。
【００２７】
梱包箱本体１０の内部を空にした後、支持部材２０を側面部１２Ａ、１２Ｂにより形成された隣り合う２つのコーナー部Ｃに沿って立て掛ける。つまり、図２に示すように、ツメ部１４が近接する側の側面部１２Ｂの内面全体に支持部材２０の底面部２３が当接するように配置する。
【００２８】
その後、梱包箱本体１０の側面部１２Ａに設けられたツメ部１４を各折曲辺１５を支点にして内側に折り曲げる。これにより、側面部１２Ｂとツメ部１４との間で、支持部材２０が挟持され固定される。このため、コーナー部Ｃに支持部材２０をしっかりと固定することができる。また、支持部材２０の底面部２３が梱包箱本体１０の側面部１２Ｂの内面全体に当接して固定されるため、さらにしっかりと支持部材２０を固定することができる。
【００２９】
その後、図３に示すように、梱包箱本体１０を裏返し、底面部１１を傾斜状態に据え置く。この際、支持部材２０が梱包箱本体１０にしっかりと固定されているため、梱包箱本体１０の底面部１１を傾斜状態に強固に維持することができる。
【００３０】
傾斜状態に据え置かれた梱包箱本体１０の底面部１１に便器装置５０を載置する。この際、便器装置５０の下面から延びた固定ボルトＢを梱包箱本体１０の底面部１１に設けられた貫通孔１７に挿通する。これにより、便器装置５０の載置位置がずれることを防止することができる。このため、後述するブースター４０の取り付け作業中に便器装置５０がずれてしまうことがなく、ブースター４０を便器装置５０に容易に組み付けることができる。
【００３１】
便器装置５０は図示しない便器本体の上面に固定される。便器装置５０は、便器洗浄装置等の機能装置を収納する上カバー５１Ｕ及び下カバー５１Ｄを有している。また、便器装置５０は上カバー５１の前面に回動可能に軸支された便座５２及び便蓋５３を有している。
【００３２】
便器装置５０は、梱包箱本体１０の底面部１１に載置された際、後部が底面部１１より上方にはみ出してしまうが、底面部１１に載置された状態の便器装置５０の重心は、梱包箱本体１０が裏返されて据え置かれた際に床面に当接する支持部材１１の下端及び他方の側面部１２Ｂの下端の間に位置する。このため、梱包箱本体１０は、便器装置５０を底面部１１に載置しても、バランスを保ち、倒れることがない。よって、裏返して据え置かれた梱包箱本体１０の底面部１１に便器装置５０を安定して載置することができる。
【００３３】
便器装置５０を梱包箱本体１０の底面部１１に載置した後、ビスＳを外して便器装置５０の下カバー５１Ｄを取り外す。これにより、図４に示すように、便器洗浄装置のバルブユニットＶの一部とともに、ブースター４０の連結ホース４２が接続される接続管Ｐが露出する。また、ブースター４０のタンク４１が取り付けられる取付部５４も露出する。このように、接続管Ｐ及び取付部５４を斜め上方に向けるように梱包箱本体１０の底面部１１に便器装置５０が載置することができる。このため、作業者が無理な姿勢をすることなく、接続管Ｐ及び取付部５４を確認しながら、便器装置５０にブースター４０を取り付けることができる。
【００３４】
したがって、実施例１の梱包箱を利用して、梱包箱に梱包されたブースター４０を便器装置５０に容易に組み付けることができる。
【００３５】
便器装置５０にブースター４０を取り付けた後、ビスＳをねじ込み、下カバー５１Ｄを取り付ける。その後、便器装置５０を梱包箱本体１０の底面部１１から取り外し、便器本体の上面に固定する。
【実施例２】
【００３６】
実施例２の梱包箱は支持部材の形状とツメ部の数を変更したものである。図５に示すように、支持部材６０は、２部材からなり、横幅寸法が梱包箱本体１０の底面部１１の短辺の内寸法の半分以下である。梱包箱本体１０は、支持部材６０が固定されるコーナー部を形成する側面部１２Ｂにもツメ部１８が設けられている。実施例１と同一の構成については、同一の符号を付し詳細な説明を省略する。
【００３７】
支持部材６０は、図５（ｂ）に示すように、側面部１２Ａ、１２Ｂにより形成された隣り合う２つのコーナー部Ｖの夫々に固定される。この際、支持部材６０は、梱包箱本体１０の底面部１１の長辺から上方に延びる側面部１２Ａに設けられたツメ部１４と側面部１２Ｂとの間、及び底面部１１の短辺から上方に延びる側面部１２Ｂに設けられたツメ部１８と側面部１２Ａとの間で挟持され固定される。このため、コーナー部Ｃに支持部材６０をしっかりと固定することができる。この状態で、梱包箱本体１０を裏返し、底面部１１を傾斜状態に据え置くことができる。この際、支持部材６０が梱包箱本体１０にしっかりと固定されているため、梱包箱本体１０の底面部１１を傾斜状態に強固に維持することができる。このため、便器装置５０の部品が取り付けられる部位を斜め上方に向けるように梱包箱本体１０の底面部１１に便器装置５０を載置することができる。よって、作業者が無理な姿勢をすることなく、便器装置５０の部品の取付部位を確認しながら、便器装置５０に部品を取り付けることができる。
【００３８】
したがって、実施例２の梱包箱を利用して、梱包箱に梱包された便器装置の部品を便器装置に容易に組み付けることができる。
【００３９】
本発明は、上記記述及び図面によって説明した実施例１及び２に限定されるものではなく、例えば次のような実施例も本発明の技術的範囲に含まれる。
（１）上記実施例１及び２では、梱包箱本体の底面部が長方形状であったが、正方形状であってもよい。
（２）上記実施例１及び２では、梱包箱本体の底面部の長辺の内寸法及び短辺の内寸法が側面部の高さ寸法よりも長く形成されているが、底面部の短辺の内寸法が側面部の高さ寸法より短くてもよい。
（３）上記実施例１及び２では、ツメ部が同一側面部に上下２つ形成されているが、１つ形成するのみでも良い。
（４）上記実施例１及び２では、便器装置の部品がブースターであったが、他の部品であってもよい。
（５）傾斜状態に据え置かれた梱包箱本体の底面部に便器装置を載置される際、底面部をシートにより覆ってもよい。このようにすると、梱包箱の搬送中に底面部が汚れてしまった場合でも、底面部に載置される便器装置を汚してしまうことを防止することができる。
【符号の説明】
【００４０】
１０…梱包箱本体
１１…底面部
１２Ａ、１２Ｂ…側面部
１４、１８…ツメ部
１５…折曲辺
１６Ａ…第１切り込み
１６Ｂ…第２切り込み
１７…貫通孔
２０、６０…支持部材
２１Ｃ…凹部
４０…ブースター（便器装置の部品）
５０…便器装置
Ｂ…固定ボルト
Ｃ…コーナー部
【図１】
2010195431.tif 000003
【図２】
2010195431.tif 000004
【図３】
2010195431.tif 000005
【図４】
2010195431.tif 000006
【図５】
2010195431.tif 000007